(57)【特許請求の範囲】
【請求項１】
偏向周波数に関係する周波数の同期信号の源と；
サンプルホールドキャパシタンスと；
入力信号の源と；
該同期信号及び該入力信号に応答し、所定の回帰期間中に該キャパシタンスに結合され該入力信号の大きさを表わす電圧を該キャパシタンスに発生させ、掃引期間中に該入力信号と該キャパシタンスの間を減結合させ、該キャパシタンスは該スイッチング手段をバイパスする電流路に結合されている、スイッチング手段と；
偏向周波数に関係する周波数の補償信号の源と；
該キャパシタンス及び該補償信号の源に接続され、該掃引期間中に該電流路を通る該キャパシタンスの電流の流れが該キャパシタンスに蓄積された電荷を変えることを妨げる電流を該キャパシタンスに発生させる手段とよりなる、ビデオ装置用サンプルホールド装置。
【発明の詳細な説明】
【０００１】
【産業上の利用分野】
本発明は偏向周波数に関係する周波数で動作するビデオディスプレイのサンプルホールド配置に関する。
【０００２】
【従来の技術】
例えば、投射形テレビ受像機の如くのＣＲＴ（陰極線管）に緑色のラスタを生じる電子ビームに関し左−右のピンクッション歪みを補正し、青色及び赤色ラスタを生じる電子ビームに関しコンバージェンスの誤差を補正するために、コンバージェンス巻線が利用されている。上記コンバージェンス巻線は垂直レートのパラボラ（放物線）状に変わる振幅を有する水平レートで鋸歯電流成分によってドライブされる。上記鋸歯電流成分の波形は４クワドラントアナログ乗算器(four-quadrant analog multiplier) で発生される。乗算器は第１の入力に垂直レートパラボラ信号を受け、第２の入力に水平レート鋸歯信号を受ける。
【０００３】
垂直ブランキング間隔中、垂直レートパラボラ信号は、乗算演算によって発生させるためのレベル、即ち、乗算器の鋸歯出力信号の最小のピークツウピーク振幅のレベルにある。
上記乗算器は、例えば、許容差、ドリフト及び部品劣化のため、第１の入力に直流電圧のシフト又はオフセットが存在するのと等価である不均衡な条件で動作する可能性がある点が欠点である。従って、出力信号のピークツウピーク振幅は、垂直ブランキング間隔中に最小の値をとらない。かかる不均衡な動作は望ましくはない。
【０００４】
ジェー・ビー・ジョージ(J.B. George) による発明の名称が「偏向用波形発生器における自動較正(AUTOMATIC CALIBRATION IN A WAVEFORM GENERATOR FOR DEFLECTION)」である93年9 月3 日に出願され、その後、94年9 月6 日に米国特許第5,345,151 号として発行された米国特許出願第115,602 号明細書には、垂直偏向周波数の変調信号源と、水平偏向周波数の第２の信号源とを含むビデオディスプレイ偏向装置が開示されている。上記変調信号及び第２の信号に応答する変調器は、乗算演算によって出力信号を発生する。増幅器は出力信号に応答し、陰極線管におけるビーム到達誤差を補正する磁界を発生する巻線に接続される。変調器の入力に接続された調節信号は、各垂直ブランキング間隔中にサンプルホールドキャパシタンスで発生される。上記調節信号は、垂直ブランキング間隔中に負帰還の方法で出力信号の振幅を低下させる。
【０００５】
【発明が解決しようとする課題】
キャパシタンスに関係するコストと占有空間と応答の観点から、大形のキャパシタンスではなくより小形のキャパシタンスを使用することが好ましい。キャパシタンスの容量が小さい程、キャパシタンスが一定電圧を維持することを必要とされる場合に、垂直ブランキング間隔中にキャパシタンス内の電圧が変化する傾向が増すという欠点がある。キャパシタンスの電圧の変化は、例えば、キャパシタンスの両端に接続された抵抗を介する充電に起因して生じる。大形のサンプルホールドキャパシタンスを使用することなく、キャパシタンスの電圧を補償することが望ましい。
【０００６】
【課題を解決するための手段】
本発明の一面を利用するビデオ装置のサンプルホールド配置は、偏向周波数に関係する周波数の同期信号源を含む。上記同期信号及び入力信号（垂直回帰期間中の出力のピークツウピーク値）に応答し、キャパシタンスに接続されたスイッチング配置は、キャパシタンスに電圧を発生させる。キャパシタンスの電圧は所定のサンプリング間隔（垂直回帰）中の入力信号の大きさを表わす。上記入力信号はホールド間隔（垂直掃引）中にキャパシタンスから減結合される。キャパシタンスはスイッチング手段の配置をバイパスする電流路に接続され、これにより、ホールド間隔中にキャパシタンスに蓄積される電荷は変わる傾向がある。偏向周波数に関係する周波数（垂直）の補償信号源が設けられている。電流はホールド間隔中にキャパシタンスの電荷を変える傾向を補償する補償信号に従ってキャパシタンスに発生される。
【０００７】
【実施例】
図１は本発明の一面を利用する補償配置を含む投射形テレビジョン受像機のコンバージェンス／左−右補正回路１００を示す図である。従来の方法で発生される水平レート鋸歯信号ＨＳＡＷは図示しないが、ピン１と５の間に交流と直流の両方の成分を含む鋸歯信号Ｖ１５を形成するためアナログ乗算器１１０の入力に交流結合される。
【０００８】
従来の方法で発生される垂直レート放物線状信号ＶＰＡＬ１は図示しないが、抵抗Ｒ１９及び抵抗Ｒ２０によって形成される分圧器を介して結合され、交流放物線状信号成分ＶＰＡＬ２を形成するため電解キャパシタンスＣ１０を介して乗算器１１０のピン３に結合される。信号成分ＶＰＡＬ２は、乗算器１１０のトランジスタＱ９のベース及びトランジスタＱ１１のベースの双方に発生する。乗算器１１０のピン３に結合されたホールドキャパシタンスＣ１１は、放物線状信号成分ＶＰＡＬ２に対しピン２を一定又は交流接地電位に維持する。従って、ＡＣ信号成分ＶＰＡＬ２は、乗算器１１０のピン３とピン２の間で複合ＡＣ／ＤＣ信号Ｖ２３の抵抗Ｒ２１の両端に発生される。
【０００９】
直流信号成分ＶDIFFは、乗算器１１０のピン２とピン３の間にある抵抗Ｒ２１の両端に発生する。直流信号成分ＶDIFFは、抵抗Ｒ１１と抵抗Ｒ１４との間にある一定電圧Ｖ１１１９と、抵抗Ｒ２１と抵抗Ｒ１１の比と、較正信号ＶＣＡＬのレベルによって定まる。抵抗Ｒ２１の両端の複合ＡＣ／ＤＣ信号Ｖ２３は、交流信号成分ＶＰＡＬ２と直流信号成分ＶDIFFの合計に一致する。
【００１０】
乗算器１１０は、信号Ｖ２３とＶ１５の瞬時値の乗算の結果に従って変わる鋸歯出力信号ＯＵＴを発生する。直流電圧成分を有する信号ＯＵＴは、従来の方法でポテンショメータ１２１を介してプリアンプ１２０に交流結合される。同様に従来の方法でプリアンプ１２０に結合されたコンバージェンスを行う別の波形は、図の簡単化のため図示しない。ポテンショメータ１２１は、振幅と共に信号ＯＵＴに対しアンプ１２０の出力信号１２２の位相を０°又は１８０°に制御するため調節される。信号１２２は、電力増幅器１２３を介して、コイルに対応するコンバージェンス電流ｉＣＶを発生する対応するため、例えば、コンバージェンスコイルＲＨ、ＲＢ又はＲＧの如くのコンバージェンスコイルに結合される。電流ｉＣＶは左−右のピンクッション歪み補正を生ずる。緑色のビームに印加される場合に、上記電流はジオメトリを補正し、一方、青色のビーム又は赤色のビームに印加される場合にコンバージェンスを発生する。
【００１１】
信号ＶＣＡＬの変化は、放物線状信号ＶＰＡＬ２の何れの部分の間で信号ＯＵＴのピークツウピーク振幅が最小であるかを定める対応する直流成分信号ＶDIFFの変化を生じる。乗算器１１０は、較正された場合に、垂直ブランキング間隔中のＴＶＢＬＫに信号ＶＰＡＬ２に従って信号ＯＵＴの最小のピークツウピーク振幅を所定の位相で発生する。
【００１２】
信号ＶＣＡＬはフィードバック制御動作モードで自動的に発生される。信号ＶＣＡＬを発生させるため、信号ＯＵＴはトランジスタＱ２０と差動増幅器を形成するトランジスタＱ１９のベースに結合される。トランジスタＱ２０のベース電圧は、抵抗Ｒ２３とキャパシタンスＣ１２とによって形成されるローパスフィルタを介して流れる信号ＯＵＴによって発生する。この結果として、トランジスタＱ２０のベース電圧は、交流成分信号を含むことはなく、トランジスタＱ１９のベース電圧の平均値に一致する直流の大きさを有する。
【００１３】
トランジスタスイッチ対Ｑ２１及びＱ２２は、そのトランジスタスイッチ対Ｑ２１及びＱ２２が導通するときに、トランジスタＱ１９及びＱ２０の一方又は双方に抵抗Ｒ２２を介してエミッタ電流を発生させるため直列に結合される。トランジスタスイッチＱ２２は、垂直ブランキング間隔中のＴＶＢＬＫの間だけ垂直ブランキング信号ＶＲＴＰＵＬによってターンオンされる。トランジスタスイッチＱ２１は、信号ＨＳＡＷの対応するピーク部分で間隔ＴＨＢＬＫの間だけ水平帰線パルスＨＲＴＰＵＬによってターンオンされる。上記信号ＨＳＡＷのピーク部分は、掃引ランプ部ＨＳＡＷ１と、掃引ランプ部ＨＳＡＷ２の間に発生する。トランジスタスイッチＱ１は、略平坦又は一定である信号ＨＳＡＷのピーク中にターンオンされる。
【００１４】
トランジスタＱ２０のコレクタは、トランジスタＱ２０が導通しているとき、或いは、トランジスタＱ２３が非導通であるときに、トランジスタＱ２３をターンオンするためトランジスタＱ２３のベースに結合される。エミッタ抵抗Ｒ２４はトランジスタＱ２３のエミッタに結合される。トランジスタＱ２３のエミッタ／コレクタ電流は、トランジスタＱ２３がトランジスタＱ２０によってターンオンされるときに抵抗Ｒ２４によって定められる。トランジスタＱ２３のコレクタは、トランジスタＱ２０及びＱ２３が導通するときキャパシタンスＣ１１を充電するためキャパシタンスＣ１１に結合される。抵抗Ｒ２５及び抵抗Ｒ２６により形成される分圧器はキャパシタンスＣ１１に所定の直流電圧を発生させる。安定状態の動作に対し、トランジスタＱ２３は、抵抗Ｒ２５及びＲ２６によって生じる電圧を越えて信号ＶＣＡＬの電圧レベルを増加させるコレクタ電流を発生する。トランジスタスイッチＱ２１及びＱ２２の両方がターンオンされるとき、トランジスタＱ２０のコレクタ電流は、間隔ＴＨＢＬＫに生じる鋸歯信号ＯＵＴの図示されない平坦部のレベルと、前述の如くトランジスタＱ１９のベースに発生された信号ＯＵＴの平均値との差によって定まる。トランジスタＱ１９とＱ２０のベース電圧間の電位差は、垂直ブランキング間隔ＴＶＢＬＫ中の信号ＯＵＴのピークツウピークの振幅に比例する。トランジスタＱ１９とＱ２０のベース電圧間の電位差は、トランジスタＱ２３の導通状態を制御するためサンプリング又はスイッチングトランジスタＱ２１とＱ２２の動作によってサンプリングされる。
【００１５】
間隔ＴＶＢＬＫに信号ＯＵＴのピークツウピーク振幅が増加する傾向があるならば、トランジスタＱ２３は、直流信号ＶＣＡＬを増加させるよう一層確実、かつ、より長い周期に亘ってターンオンする。かくして、信号ＯＵＴのピークツウピーク振幅は、間隔ＴＶＢＬＫ中に自動的に減少させられる。一方、信号ＶＯＵＴが必要とされているのとは反対の極性である場合に、水平ブランキング間隔ＴＨＢＬＫ中に、トランジスタＱ２３はターンオンすることはなく、信号ＶＣＡＬは信号ＶＣＡＬが十分小さくなり極性の反転を起こすまで減少する。従って、安定状態の動作において、間隔ＴＶＢＬＫ中に、信号ＯＵＴの位相は所定の位相であり、その振幅はフィードバックループで制御される如く最小の値である。
【００１６】
垂直掃引中に、キャパシタンスＣ１１は信号ＶＣＡＬの低下（ドループ）を引き起こす抵抗Ｒ１１及びＲ２９と、Ｒ２５及びＲ２６を含む電流路を介して徐々に放電する傾向がある。キャパシタンスＣ１１の放電により生ずる信号ＶＣＡＬのレベルの低下を補償することが望ましい。所定の垂直掃引間隔に亘って信号ＶＣＡＬの低下は、例えば、劣化に起因する容量の値の変化と共に変化する。容量の変化を考慮した方法でキャパシタンス１１の放電又はドループを補償することが望ましい。
【００１７】
本発明の一面よれば、補償キャパシタンスＣＣＯＭは、従来の垂直レートの補償鋸歯信号ＶＳＡＷの源２００に結合される。信号ＶＳＡＷはコンバージェンスの如くの他の目的でテレビ受像機に既に利用されている。垂直掃引間隔中に、補償キャパシタンスＣＣＯＭの電流ｉccomは、他の場合にはキャパシタンスＣＣＯＭを放電させたであろう電流を供給する。この結果として、キャパシタンスＣＣＯＭの放電は減少する。キャパシタンスＣＣＯＭは金属化ポリエステル薄膜ギャップ形であるので、劣化及び温度変化と共に著しく変化することはない。このため、補償電流は変化しない。従って、垂直掃引間隔中に信号ＶＣＡＬを一定に維持するため与えられる補償は、劣化及び温度変化への依存が少ないという利点がある。
【図面の簡単な説明】
【図１】本発明の一面を利用する補償配置を含む投射形テレビジョン受像機のコンバージェンス／左−右補正回路のブロック図である。
【符号の説明】
１００    コンバージェンス／左−右補正回路
１１０    アナログ乗算器
１２０    プリアンプ
１２１    ポテンショメータ
１２２    出力信号
１２３    電力増幅器
２００    補償鋸歯信号源
【図１】
0003636499.tif 000002